(57)【要約】【課題】回転部の低回転時における潤滑油不足による回転部構成部品の焼き付き防止と、高回転時における油攪拌抵抗による回転部の駆動効率低下防止との両立を図る。【解決手段】本発明に係る回転部潤滑装置は、車両における動力源からの動力を受けて回転する回転部が配置されると共に、供給される潤滑油を貯留して回転部の少なくとも一部を油没させる貯留室と、回転部の回転数に応じて、貯留された潤滑油についての排油のための取り込み位置の高さを変化させる排油調整部とを備える。【選択図】図１
2020008110.tif 000002
【特許請求の範囲】
【請求項１】
車両における動力源からの動力を受けて回転する回転部が配置されると共に、供給される潤滑油を貯留して前記回転部の少なくとも一部を油没させる貯留室と、
前記回転部の回転数に応じて、前記貯留された潤滑油についての排油のための取り込み位置の高さを変化させる排油調整部と、を備える
回転部潤滑装置。
【請求項２】
前記貯留された潤滑油を前記貯留室外部に排出する排油孔を備え、
前記排油調整部は、
前記排油孔より排出すべき潤滑油を前記貯留された潤滑油から取り込む取込孔が形成された可動部材を有し、前記可動部材が、前記回転部の掻き上げた潤滑油を受けて動くことにより前記取込孔の高さ位置が変化する
請求項１に記載の回転部潤滑装置。
【請求項３】
前記可動部材は、
前記回転部における回転体の回転軸と略平行な回転軸により回転することが可能に設けられると共に、軸直交方向に突出された受油部が形成されている
請求項２に記載の回転部潤滑装置。
【請求項４】
前記可動部材は、少なくとも前記受油部が浮力を有する
請求項３に記載の回転部潤滑装置。
【請求項５】
前記排油調整部は、
前記取込孔の上限位置を規制するように前記可動部材の動きを規制する第一規制部を有する
請求項２乃至請求項４の何れかに記載の回転部潤滑装置。
【請求項６】
前記排油調整部は、
前記取込孔の下限位置を規制するように前記可動部材の動きを規制する第二規制部を有する
請求項２乃至請求項５の何れかに記載の回転部潤滑装置。
【請求項７】
前記可動部材が弾性変形可能な部材とされた
請求項２乃至請求項６の何れかに記載の回転部潤滑装置。
【発明の詳細な説明】
【技術分野】
【０００１】
本発明は、車両における動力源からの動力を受けて回転する回転部が配置されると共に、供給される潤滑油を貯留して回転部の少なくとも一部を油没させる貯留室を備えた回転部潤滑装置についての技術分野に関する。
【背景技術】
【０００２】
車両の動力伝達装置には、例えばエンジン等の動力源からの動力を受けて回転する回転部が多数設けられている。例えば、各種のギヤや、ＣＶＴ（Continuously Variable Transmission）におけるプーリ等を挙げることができる。各種のギヤの一例としては、動力伝達装置を動作させるための作動油や潤滑油の油圧源として用いられるオイルポンプの駆動ギヤ等を挙げることができる。
【０００３】
ここで、動力伝達装置のオイルポンプに対しては、上記の駆動ギヤの少なくとも一部を油没させるために潤滑油を貯留する貯留室を備えた回転部潤滑装置が設けられる場合がある。
図８は、従来例としての回転部潤滑装置１００の構成を説明するための図である。
オイルポンプは、例えば内接歯車式のオイルポンプとされ、内歯車に連結された駆動シャフト１０１と、駆動シャフト１０１に連結された駆動ギヤ１０２とを有している。駆動ギヤ１０２には、エンジン等の動力源により回転駆動される入力シャフト１０３からの動力がチェーン１０４を介して伝達される。これにより駆動ギヤ１０２が回転駆動されてオイルポンプがポンプ動作を行う。
【０００４】
回転部潤滑装置１００は、内部に駆動シャフト１０１の一部及び駆動ギヤ１０２と、入力シャフト１０３の一部と、チェーン１０４とが配置された貯留室１０５を備えている。貯留室１０５の室壁には、貯留室１０５に潤滑油を供給するための給油孔１０６と、貯留された潤滑油を貯留室１０５外部に排出するための排油孔１０７とが形成されている。
【０００５】
上記構成による回転部潤滑装置１００においては、貯留室１０５に貯留される潤滑油の油面高さは、概ね排油孔１０７の高さ位置に調整される。
【０００６】
なお、関連する従来技術については下記特許文献１〜３を挙げることができる。
【先行技術文献】
【特許文献】
【０００７】
【特許文献１】特開２０１５−２１２５７１号公報
【特許文献２】特開２０１２−６７８３９号公報
【特許文献３】特開２００９−２７５８８６号公報
【発明の概要】
【発明が解決しようとする課題】
【０００８】
ここで、オイルポンプが動作し始める際、すなわち駆動ギヤ１０２が低回転のときは、駆動シャフト１０１等の回転部品が焼き付くことの防止を図るべく、潤滑油の量は多い方が望ましい。一方で、駆動ギヤ１０２が高回転とされたときは、潤滑油の量が多いと攪拌抵抗の増大によりオイルポンプの駆動効率低下を招く。
図９では、低回転時に理想的な油面高さＨ１と高回転時に理想的な油面高さＨ２とを例示している。
【０００９】
しかしながら、従来の回転部潤滑装置１００では、上述のように貯留室１０５における油面高さは排油孔１０７の高さ位置に依存する。
このため油量を低回転時と高回転時との双方で適正化することが困難とされる。
【００１０】
本発明は上記事情に鑑み為されたものであり、回転部の低回転時における潤滑油不足による回転部構成部品の焼き付き防止と、高回転時における油攪拌抵抗による回転部の駆動効率低下防止との両立を図ることを目的とする。
【課題を解決するための手段】
【００１１】
本発明に係る回転部潤滑装置は、車両における動力源からの動力を受けて回転する回転部が配置されると共に、供給される潤滑油を貯留して前記回転部の少なくとも一部を油没させる貯留室と、前記回転部の回転数に応じて、前記貯留された潤滑油についての排油のための取り込み位置の高さを変化させる排油調整部と、を備えるものである。
【００１２】
これにより、回転部の回転数に応じて貯留室の油面高さを調整可能とされる。具体的には、回転部の低回転時には取り込み位置を高くして油面高さを高くし、高回転時には取り込み位置を低くして油面高さを低くする調整を行うことが可能とされる。
【００１３】
上記した本発明に係る回転部潤滑装置においては、前記貯留された潤滑油を前記貯留室外部に排出する排油孔を備え、前記排油調整部は、前記排油孔より排出すべき潤滑油を前記貯留された潤滑油から取り込む取込孔が形成された可動部材を有し、前記可動部材が、前記回転部の掻き上げた潤滑油を受けて動くことにより前記取込孔の高さ位置が変化する構成とすることが可能である。
【００１４】
これにより、排油のための取り込み位置の高さを変化させるにあたり、可動部材を回転部の回転数に応じて駆動するためのアクチュエータ等の部品を追加する必要がなくなる。
【００１５】
上記した本発明に係る回転部潤滑装置においては、前記可動部材は、前記回転部における回転体の回転軸と略平行な回転軸により回転することが可能に設けられると共に、軸直交方向に突出された受油部が形成された構成とすることが可能である。
【００１６】
これにより、回転部の掻き上げた潤滑油の飛散態様が回転数に応じて変化することに伴い、受油部が受ける油の量や圧を変化させることが可能とされる。すなわち、回転部の回転数に応じて可動部材の回転角を変化させ、取込孔の高さ位置を変化させることが可能とされる。
【００１７】
上記した本発明に係る回転部潤滑装置においては、前記可動部材は、少なくとも前記受油部が浮力を有する構成とすることが可能である。
【００１８】
貯留室における油面は常時水平ではなく、車両走行等の要因により一時的に上下変動し得る。回転部が高回転から低回転となり受油部が受ける油の量や圧が低下した状態において、車両走行等に起因して一時的にでも油面上昇が起きると、浮力を有する受油部は油面上昇に応じて浮上し、これに伴い可動部材が低回転→高回転への変化時とは逆方向に回転される。すなわち、回転部が低回転の状態において、取込孔の位置を自動的に上昇させることが可能とされる。
【００１９】
上記した本発明に係る回転部潤滑装置においては、前記排油調整部は、前記取込孔の上限位置を規制するように前記可動部材の動きを規制する第一規制部を有する構成とすることが可能である。
【００２０】
これにより、低回転時に対応した潤滑油の貯留量が所定量を超えないように図られる。
【００２１】
上記した本発明に係る回転部潤滑装置においては、前記排油調整部は、前記取込孔の下限位置を規制するように前記可動部材の動きを規制する第二規制部を有する構成とすることが可能である。
【００２２】
これにより、高回転時に対応した潤滑油の貯留量が所定量を超えないように図られる。
【００２３】
上記した本発明に係る回転部潤滑装置においては、前記可動部材が弾性変形可能な部材とされた構成とすることが可能である。
【００２４】
これにより、可動部材を貯留室の室壁等の所定位置に対して動作自在に係止させるための手法として、可動部材の弾性変形を利用した係止手法を採ることが可能とされる。
【発明の効果】
【００２５】
本発明によれば、回転部の低回転時における潤滑油不足による回転部構成部品の焼き付き防止と、高回転時における油攪拌抵抗による回転部の駆動効率低下防止との両立を図ることができる。
【図面の簡単な説明】
【００２６】
【図１】本発明に係る実施形態としての回転部潤滑装置のカットモデルを示した図である。
【図２】実施形態としての回転部潤滑装置が備える可動部材の取付部近傍の構成例を示した図である。
【図３】取付部に可動部材を取り付けた様子を表した図である。
【図４】図３に示すＡ−Ａ’断面の断面図である。
【図５】図３に示すＢ−Ｂ’断面の断面図である。
【図６】回転部の低回転時に対応した作用についての説明図である。
【図７】回転部の高回転時に対応した作用についての説明図である。
【図８】従来例としての回転部潤滑装置のカットモデルを示した図である。
【図９】低回転時、高回転時それぞれにおける理想的な油面高さを例示した図である。
【発明を実施するための形態】
【００２７】
以下、添付図面を参照して本発明に係る実施形態としての回転部潤滑装置１について説明する。
図１は、回転部潤滑装置１の構成例を説明するための図であり、回転部潤滑装置１を車両の前後方向における所定位置で垂直方向に切断した際のカットモデルを示している。また、図２は、排油調整部３における可動部材４を取り付けるための取込部２１近傍の構成例を示した図である。
【００２８】
実施形態の回転部潤滑装置１は、車両における動力伝達装置、具体的にはトランスミッションの油圧回路に作動油を吐出するオイルポンプに対して設けられており、該オイルポンプの回転部についての潤滑を行う。
ここで、回転部潤滑装置１が設けられるオイルポンプは、例えば内接歯車式のオイルポンプとされ、内歯車に連結された駆動シャフト１０１と、駆動シャフト１０１に連結された駆動ギヤ１０２とを有している。駆動ギヤ１０２には、車両が有するエンジン等の動力源からの動力を受けて回転する入力シャフト１０３からの動力がチェーン１０４を介して伝達される。これにより駆動ギヤ１０２が回転駆動されてオイルポンプがポンプ動作を行う。
本例では、入力シャフト１０３、駆動シャフト１０１、及び駆動ギヤ１０２の回転軸は車両の前後方向に略平行とされている。入力シャフト１０３の回転方向は図１に示す正面視（車両前方側から後方側に向く視点）で時計回り方向とされ、従って駆動シャフト１０１及び駆動ギヤ１０２の回転方向も時計回り方向とされる。
【００２９】
回転部潤滑装置１は、外筐としての金属製のケース２と、ケース２に形成された給油孔１０６及び排油孔１０７（図２参照）と、ケース２内に設けられた排油調整部３とを備えている。
ケース２は、内部空間が貯留室１０５として形成され、貯留室１０５には、駆動シャフト１０１の一部及び駆動ギヤ１０２と、入力シャフト１０３の一部と、チェーン１０４とが配置されている。貯留室１０５は、給油孔１０６から供給される潤滑油を貯留し、駆動シャフト１０１、駆動ギヤ１０２、入力シャフト１０３、及びチェーン１０４で構成される回転部１０８の少なくとも一部を油没させる。本例では、貯留室１０５は、少なくとも駆動ギヤ１０２の下端部を油没させることが可能に構成されている。
【００３０】
ケース２は、貯留室１０５を形成する室壁として、回転部１０８を左側、右側、上側、下側からそれぞれ覆う左室壁、右室壁、上室壁、下室壁の四つの室壁と、回転部１０８を前側から覆うと共に入力シャフト１０３を軸支する前室壁と、回転部１０８を後側から覆うと共に駆動シャフト１０１を軸支する後室壁との計六つの室壁を有している。ここで、これら室壁のうち後室壁のことを「壁部２０」と表記する。
【００３１】
給油孔１０６は、壁部２０を前後方向に貫通する孔とされ、壁部２０の左上端部に位置されている。給油孔１０６には、トランスミッションに形成された不図示の油圧回路を経由して潤滑油が供給される。
【００３２】
排油孔１０７（図２参照）は、給油孔１０６と同様に壁部２０を前後方向に貫通する孔とされ、壁部２０の右下端部に位置されており、貯留室１０５に貯留された潤滑油をケース２外部、すなわち貯留室１０５外部に排出する。
【００３３】
排油調整部３は、回転部１０８の回転数に応じて、貯留室１０５に貯留された潤滑油についての排油のための取り込み位置の高さを変化させる。本例において、排油調整部３は、可動部材４と、第一規制部２３と、第二規制部２４とを有して構成されている。
【００３４】
可動部材４は、略円盤状の外形を有する本体部４０と、本体部４０を前後方向に貫通し貯留室１０５に貯留された潤滑油を排油のために取り込む取込孔４１と、本体部４０に連接され本体部４０から外周方向に突出された板状の受油部４２と、本体部４０に連接され本体部４０から外周方向に突出された規制凸部４３とを有している。
取込孔４１は、本体部４０における外周寄りとなる位置に形成されている。
受油部４２は、本体部４０の径方向に平行な面に対して厚み方向が直交している。これにより、後述するように回転部１８が貯留された潤滑油を掻き上げたとき、飛散される潤滑油についての受油面積が大きくなるように図られている。
規制凸部４３は、本例では、突出方向が受油部４２とは逆向きとされている。
【００３５】
本例において、可動部材４は、弾性変形可能な例えば樹脂製の部材とされ、壁部２０に形成された取付部２１に対し、回転自在に取り付けられる。ここで、可動部材４の回転軸は、本例では回転部１０８における駆動ギヤ１０２等の回転体の回転軸と平行とされている。このとき、可動部材４の回転軸は上記回転体の回転軸と厳密に平行である必要はなく、略平行であればよい。
また本例において、可動部材４は、回転部１０８の右側、具体的には駆動ギヤ１０２の右側に配置されている。後の説明から理解されるように、可動部材４を回転部１０８の右側、左側の何れに位置させるかは、回転部１０８の回転方向に依る。
なお、可動部材４の取り付けに係る構成については以降で改めて説明する。
【００３６】
また、本例の可動部材４は、少なくとも受油部４２が潤滑油に対する浮力を有している。本例では、可動部材４は全体が同一の樹脂材料で構成されており、全体において潤滑油に対する浮力を有している。
【００３７】
第一規制部２３は、取込孔４１の上限位置を規制するように可動部材４の動きを規制する。第二規制部２４は、取込孔４１の下限位置を規制するように可動部材４の動きを規制する。
本例では、第一規制部２３、第二規制部２４は、共に可動部材４における規制凸部４３に対するストッパとして設けられており、規制凸部４３が当接することで可動部材４の動き（回転角）を規制する。
これら第一規制部２３、第二規制部２４は、本例では壁部２０の一部を前方に突出させた凸部として形成されている。このため、可動部材４の動きを規制するにあたり、追加部品を設けることが不要とされている。
【００３８】
図２に示すように、取付部２１は、摺動凹部２１ａと、係止凹部２１ｂとを有している。摺動凹部２１ａは、壁部２０に形成された略輪状の凹部とされ、係止凹部２１ｂは、摺動凹部２１ａよりも内周において開口され、摺動凹部２１ａよりもさらに後方に凹んだ略輪状の凹部として壁部２０に形成されている。
【００３９】
また、本例では、取付部２１の一部には、略半月状の連絡溝２２が形成されている。連絡溝２２は、摺動凹部２１ｂよりも後方側に凹んだ溝部として壁部２０に形成されており、摺動凹部２１ａの最外周よりも内周側で且つ係止凹部２１ｂの最外周よりも外周側に位置されている。
連絡溝２２の下端部には排油孔１０７が形成されている。連絡溝２２は、可動部材４における取込孔４１から取り込まれた潤滑油を排油孔１０７に導くための溝部として機能する。
【００４０】
図３は、取付部２１に対し可動部材４を取り付けた際の様子を示しており、図中の破線により可動部材４に対する連絡溝２２や排油孔１０７等の位置関係を示している。
また、図４は、図３に示すＡ−Ａ’断面の断面図を、図５は図３に示すＢ−Ｂ’断面の断面図をそれぞれ示している。
【００４１】
可動部材４の本体部４０には、受油部４２や規制凸部４３よりも後方側に突出された摺動凸部４０ａと、摺動凸部４０ａの中央部においてさらに後方に突出された係止凸部４０ｂとが形成されている。
【００４２】
係止凸部４０ｂは、前寄り、すなわち摺動凸部４０ａ寄りの根元部の径よりも、後端部の径が大きくされている。そして、取付部２１における係止凹部２１ｂは、入り口側（前側）の開口径が小さく、奥側（後側）の開口径が大きくされている。
また、可動部材４の本体部４０において、係止凸部４０ｂの内周部は前側に凹んでおり空洞Ｓとされている。
【００４３】
可動部材４の取付部２１への取り付けは、樹脂製とされた可動部材４の弾性変形（特に係止凸部４０ｂの弾性変形）を利用して、係止凸部４０ｂを係止凹部２１ｂに対して係止させることで行われる。このとき、空洞Ｓが形成されていることで係止凸部４０ｂが内周側に傾斜可能とされ、係止の容易性（取り付けの容易性）が高められている。
上記のように係止凸部４０ｂが係止凹部２１ｂに係止され、可動部材４が取付部２１に対し取り付けられた状態では、係止凹部２１ｂの中心軸を回転軸として可動部材４が回転自在とされる。この場合、可動部材４の回転軸は、回転部１０８における回転体の回転軸と略平行である。また、この場合、受油部４２は、可動部材４における軸直交方向に突出していると言うことができる。
【００４４】
可動部材４の回転角は、図１や図２に示した第一規制部２３と第二規制部２４とによって所定の回転角範囲内に規制され、該回転角範囲内では、図５に示すように、可動部材４に形成された取込孔４１と連絡溝２２とが連通状態を維持する。換言すれば、取込孔４１から取り込まれた潤滑油を連絡溝２２を通じて排油孔１０７より排出可能な状態で維持される。
【００４５】
ここで、給油孔１０６から潤滑油が供給され、貯留室１０５内に或る程度の潤滑油が貯留された状態において回転部１０８が回転すると、回転部１０８によって貯留された潤滑油の一部が掻き上げられる。
図６では、回転部１０８が掻き上げた潤滑油の飛散態様を破線矢印ＤＬと実線矢印ＤＨにより模式的に表している。
オイルポンプが回転を開始した直後であって、回転部１０８が低回転のときには、回転部１０８による潤滑油の掻き上げ力が弱く、図中の破線矢印ＤＬで表すように、飛散される潤滑油の殆どは可動部材４における受油部４２に到達しない。すなわち、受油部４２における受油量が少なく、また受油圧も低い。
この状態では、可動部材４は規制凸部４３が第一規制部２３近傍に位置する状態となり、取込孔４１は上限位置近傍に位置される。すなわち、低回転時においては、貯留された潤滑油についての排油のための取り込み位置の高さが高くされ、貯留された潤滑油の油面高さは図中Ｈ１と表すように高くされる。
【００４６】
一方、回転部１０８が高回転となった場合には、回転部１０８による潤滑油の掻き上げ力が強まることで、例えば図中の実線矢印ＤＨで表すように、飛散される潤滑油がダイレクトに受油部４２に到達する等、受油部４２における受油量や受油圧は、低回転時と比較して多く、また高くなる。
この状態では、例えば図７に示すように、可動部材４は回転部１０８の回転方向と同方向に回転され、これに伴い、取込孔４１の位置が低くなる。このとき、回転部１０８の回転数が一定数以上に高まり、受油部４２における受油量や受油圧が一定量以上に多く、また一定圧以上に高まった場合には、可動部材４の回転角が規制凸部４３と第二規制部２４により規制され、取込孔４１の位置が下限位置で維持される。すなわち本例では、取込孔４１の高さ位置が排油孔１０７の高さ位置と一致した状態を維持する。
このように高回転時には、貯留された潤滑油についての排油のための取り込み位置の高さが低くされ、貯留された潤滑油の油面高さは図中Ｈ２と示すように低回転時よりも低くされる。
【００４７】
ここで、図７に示すような高回転の状態から回転部１０８の回転数が低下した際には、受油部４２が浮力が有していることで、可動部材４が低回転→高回転への変化時とは逆方向に回転することが可能とされている。
貯留室１０５における油面は常時水平ではなく、車両走行等の要因により一時的に上下変動し得る。回転部１０８が高回転から低回転となり受油部４２が受ける油の量や圧が低下した状態において、車両走行等に起因して一時的にでも油面上昇が起きると、浮力を有する受油部４２は油面上昇に応じて浮上し、これに伴い可動部材４が低回転→高回転への変化時とは逆方向に回転される。すなわち、回転部１０８が低回転の状態において、取込孔４１の位置を自動的に上昇させることが可能とされる。
このとき、第一規制部２３が設けられていることで、取込孔４１の位置が上限位置を超えることが防止される。また、第一規制部２３が設けられていることで、受油部４２が回転部１０８側に傾いてしまうこと、すなわち受油部４２が回転部１０８の掻き上げた潤滑油を受けることが不能となってしまう機能不全状態に陥ることの防止を図ることができる。
【００４８】
以上で説明したように、実施形態の回転部潤滑装置（同１）は、車両における動力源からの動力を受けて回転する回転部（同１０８）が配置されると共に、供給される潤滑油を貯留して回転部の少なくとも一部を油没させる貯留室（同１０５）と、回転部の回転数に応じて、貯留された潤滑油についての排油のための取り込み位置の高さを変化させる排油調整部（同３）とを備えている。
【００４９】
これにより、回転部の回転数に応じて貯留室の油面高さを調整可能とされる。具体的には、回転部の低回転時には取り込み位置を高くして油面高さを高くし、高回転時には取り込み位置を低くして油面高さを低くする調整を行うことが可能とされる。
従って、低回転時における潤滑油不足による回転部構成部品の焼き付き防止と、高回転時における油攪拌抵抗による回転部の駆動効率低下防止との両立を図ることができる。
【００５０】
また、実施形態の回転部潤滑装置においては、貯留された潤滑油を貯留室外部に排出する排油孔（同１０７）を備え、排油調整部は、排油孔より排出すべき潤滑油を貯留された潤滑油から取り込む取込孔（同４１）が形成された可動部材（同４）を有し、可動部材が、回転部の掻き上げた潤滑油を受けて動くことにより取込孔の高さ位置が変化する構成とされている。
【００５１】
これにより、排油のための取り込み位置の高さを変化させるにあたり、可動部材を回転部の回転数に応じて駆動するためのアクチュエータ等の部品を追加する必要がなくなる。
従って、部品点数の削減、及びコスト削減を図ることができる。
【００５２】
さらに、実施形態の回転部潤滑装置においては、可動部材は、回転部における回転体の回転軸と略平行な回転軸により回転することが可能に設けられると共に、軸直交方向に突出された受油部（同４２）が形成されている。
【００５３】
これにより、回転部の掻き上げた潤滑油の飛散態様が回転数に応じて変化することに伴い、受油部が受ける油の量や圧を変化させることが可能とされる。すなわち、回転部の回転数に応じて可動部材の回転角を変化させ、取込孔の高さ位置を変化させることが可能とされる。
従って、低回転時における潤滑油不足による回転部構成部品の焼き付き防止と、高回転時における油攪拌抵抗による回転部の駆動効率低下防止との両立を図ることができる。
【００５４】
また、実施形態の回転部潤滑装置においては、可動部材は、少なくとも受油部が浮力を有している。
【００５５】
貯留室における油面は常時水平ではなく、車両走行等の要因により一時的に上下変動し得る。回転部が高回転から低回転となり受油部が受ける油の量や圧が低下した状態において、車両走行等に起因して一時的にでも油面上昇が起きると、浮力を有する受油部は油面上昇に応じて浮上し、これに伴い可動部材が低回転→高回転への変化時とは逆方向に回転される。すなわち、回転部が低回転の状態において、取込孔の位置を自動的に上昇させることが可能とされる。
従って、低回転時に対応して取込孔の高さを上昇させるために、可動部材を駆動するためのアクチュエータ等の部品を追加する必要がなくなり、部品点数の削減、及びコスト削減を図ることができる。
【００５６】
さらにまた、実施形態の回転部潤滑装置においては、排油調整部は、取込孔の上限位置を規制するように可動部材の動きを規制する第一規制部（同２３）を有している。
【００５７】
これにより、低回転時に対応した潤滑油の貯留量が所定量を超えないように図られる。
従って、低回転時における貯留油量の適正化を図ることができる。
また、実施形態で例示したように可動部材が回転する構成においては、第一規制部によっては、受油部が回転部側に傾くことの防止を図ることが可能とされる。すなわち、受油部が回転部の掻き上げた潤滑油を受けることが不能となってしまう機能不全状態に陥ることの防止を図ることができる。
【００５８】
また、実施形態の回転部潤滑装置においては、排油調整部は、取込孔の下限位置を規制するように可動部材の動きを規制する第二規制部（同２４）を有している。
【００５９】
これにより、高回転時に対応した潤滑油の貯留量が所定量を超えないように図られる。
従って、高回転時における貯留油量の適正化を図ることができる。
【００６０】
さらに、実施形態の回転部潤滑装置においては、可動部材が弾性変形可能な部材とされている。
【００６１】
これにより、可動部材を貯留室の室壁等の所定位置に対して動作自在に係止させるための手法として、可動部材の弾性変形を利用した係止手法を採ることが可能とされる。
従って、可動部材の係止にあたりネジ等の別途の係止用部材を用いずに済むものとでき、部品点数の削減、及びコスト削減を図ることができる。
【００６２】
なお、本発明は上記で説明した具体例に限定されず、多様な変形例が考えられるものである。
例えば、上記では、取込孔が形成された可動部材が回転することにより排油のための取り込み位置の高さを変化させる例を挙げたが、可動部材が上下方向に動く等、回転以外の他の動きにより排油のための取り込み位置の高さを変化させる構成を採ることもできる。
【００６３】
また、上記では、本発明がトランスミッションのオイルポンプに係る回転部の潤滑に適用される例を挙げたが、例えば変速機構に設けられる回転部、具体的にはＣＶＴ（Continuously Variable Transmission）におけるプーリ等の回転部の潤滑に本発明を適用することもできる。
本発明は、車両における動力源からの動力を受けて回転する回転部についての潤滑に広く好適に適用することができる。
【符号の説明】
【００６４】
１  回転部潤滑装置、２  ケース、２０  壁部、２１  取付部、２１ａ  摺動凹部、２１ｂ  係止凹部、２２  連絡溝、２３  第一規制部、２４  第二規制部、３  排油調整部、４  可動部材、４０  本体部、４０ａ  摺動凸部、４０ｂ  係止凸部、４１  取込孔、４２  受油部、４３  規制凸部、１０１  駆動シャフト、１０２  駆動ギヤ、１０３  入力シャフト、１０４  チェーン、１０５  貯留室、１０６  給油孔、１０７  排油孔、１０８  回転部、Ｓ  空洞
【図１】
2020008110.tif 000003
【図２】
2020008110.tif 000004
【図３】
2020008110.tif 000005
【図４】
2020008110.tif 000006
【図５】
2020008110.tif 000007
【図６】
2020008110.tif 000008
【図７】
2020008110.tif 000009
【図８】
2020008110.tif 000010
【図９】
2020008110.tif 000011